(57)【要約】【課題】バンド部の切断後の作業効率が低下しない電線保護構造を提供する。【解決手段】コネクタ１０から引き出された電線Ｗを保護する電線保護構造であって、コネクタ１０に組み付けされ、電線Ｗが収容される電線収容路４が電線配策方向に沿って開口された電線保護カバー１と、電線Ｗを電線保護カバー１に拘束するバンド部２１と、電線Ｗを電線保護カバー１に拘束した位置でバンド部２１をロックするインシュロック部２２とを有する拘束バンド２０とを備え、電線保護カバー１には、インシュロック部２２から引き出され、且つ、切断されたバンド部２１の切断箇所を被う保護壁８が設けられた。【選択図】図１
2013251115.tif 000002
【特許請求の範囲】
【請求項１】
コネクタから引き出された電線を保護する電線保護構造であって、
前記コネクタに組み付けされ、前記電線が収容される電線収容路が電線配策方向に沿って開口された電線保護カバーと、
前記電線を前記電線保護カバーに拘束するバンド部と、前記電線を電線保護カバーに拘束した位置で前記バンド部をロックするインシュロック部とを有する拘束バンドとを備え、
前記電線保護カバーには、前記インシュロック部から引き出され、且つ、切断された前記バンド部の切断箇所を被う保護壁が設けられたことを特徴とする電線保護構造。
【請求項２】
請求項１記載の電線保護構造であって、
前記保護壁は、前記インシュロック部から引き出されるバンド部の余長箇所が貫通されるバンド貫通孔を有し、且つ、前記バンド貫通孔の位置が前記インシュロック部側に変位できるように撓み変形可能に形成されたことを特徴とする電線保護構造。
【発明の詳細な説明】
【技術分野】
【０００１】
本発明は、コネクタから引き出された電線を保護する電線保護構造に関する。
【背景技術】
【０００２】
従来より種々の電線保護構造が提案されている（特許文献１、２参照）。電線保護構造としては、コネクタに電線保護カバーを組み付け、電線保護カバーによって電線を保護するものもある（特許文献３参照）。かかる電線保護構造の一従来例が図９〜図１３に示されている。
【０００３】
図９〜図１２において、コネクタ１１０は、コネクタハウジング１１１とこのコネクタハウジング１１１内に収容された複数の端子１１２とを備えている。各端子１１２には、電線Ｗがそれぞれ接続されている。これら電線Ｗがコネクタハウジング１１１の後面より引き出されている。
【０００４】
電線保護カバー１００は、コネクタハウジング１１１の後面側に組み付けされる。電線保護カバー１００は、コネクタハウジング１１１の後面を被い、且つ、電線配策方向に延びるカバー本体１０１と、カバー本体１０１の一端側に設けられたコネクタ組付部１０２とを有する。カバー本体１０１は、大略半筒形状であり、その内部に電線収容路１０４が形成されている。電線収容路１０４は、電線配策方向に沿って開口部１０４ａを有する。
【０００５】
拘束バンド１２０は、帯状のバンド部１２１とこのバンド部１２１の基端部に固定されたインシュロック部１２２とから構成されている。バンド部１２１は、その先端が電線収容路１０１４に導かれて電線Ｗの外周を巻回した後に、インシュロック部１２２に通されている。そして、電線Ｗを電線保護カバー１００にしっかりと拘束した位置でバンド部１２１がインシュロック部１２２でロックされている。インシュロック部１２２からのバンド部１２１の余長箇所１２１Ａは、切断されている（図１２参照）。
【０００６】
コネクタ１１０への電線保護カバー１００及び拘束バンド１２０の組み付けは、電線保護カバー１００の電線収容路１０４内に開口部１０４ａより電線Ｗを挿入する。電線Ｗを収容した電線保護カバー１００のコネクタ組付部１０２をコネクタハウジング１１１の後面側に嵌合する。次に、電線収容路１０４内の電線Ｗを拘束バンド１２０によって電線保護カバー１００に拘束する。インシュロック部１２２からは、バンド部１２１の余長箇所１２１Ａが引き出され、このバンド部１２１の余長箇所１２１Ａを切断すれば完了する。
【先行技術文献】
【特許文献】
【０００７】
【特許文献１】特開昭６３−５１５１８号公報
【特許文献２】特開平８−１８２１６３号公報
【特許文献３】特開２００５−２６０４８号公報
【発明の概要】
【発明が解決しようとする課題】
【０００８】
しかしながら、前記従来の電線保護構造では、図１３に示すように、バンド部１２１の切断面１２１ａが露出された状態となる。切断面１２１ａのエッジは鋭利である。従って、バンド切断作業後の作業者は、バンド部１２１の切断面１２１ａに注意しつつ作業しなければならないため、作業効率が低下する等の問題があった。
【０００９】
そこで、本発明は、前記した課題を解決すべくなされたものであり、バンド部の切断後の作業効率が低下しない電線保護構造を提供することを目的とする。
【課題を解決するための手段】
【００１０】
本発明は、コネクタから引き出された電線を保護する電線保護構造であって、前記コネクタに組み付けされ、前記電線が収容される電線収容路が電線配策方向に沿って開口された電線保護カバーと、前記電線を前記電線保護カバーに拘束するバンド部と、前記電線を電線保護カバーに拘束した位置で前記バンド部をロックするインシュロック部とを有する拘束バンドとを備え、前記電線保護カバーには、前記インシュロック部から引き出され、且つ、切断された前記バンド部の切断箇所を被う保護壁が設けられたことを特徴とする電線保護構造である。
【００１１】
前記保護壁は、前記インシュロック部から引き出されるバンド部の余長箇所が貫通されるバンド貫通孔を有し、且つ、前記バンド貫通孔の位置が前記インシュロック部側に変位できるように撓み変形可能に形成されることが好ましい。
【発明の効果】
【００１２】
本発明によれば、バンド部の切断面は、電線保護カバーの保護壁によって被われるため、その後の作業者は、バンド部の切断面に接触しないように注意を払う必要がない。以上より、バンド部の切断後の作業効率が低下しない。
【図面の簡単な説明】
【００１３】
【図１】本発明の一実施形態を示し、組み付け前の拘束バンドと電線保護カバーとコネクタの斜視図である。
【図２】本発明の一実施形態を示し、組み付け状態の拘束バンドと電線保護カバーとコネクタの断面図である。
【図３】本発明の一実施形態を示し、コネクタの断面図である。
【図４】本発明の一実施形態を示し、組み付け状態の拘束バンドと電線保護カバーとコネクタの斜視図である。
【図５】本発明の一実施形態を示し、（ａ）は拘束バンドの締結箇所の正面図、（ｂ）は（ａ）はＡ−Ａ線の断面図である。
【図６】本発明の一実施形態を示し、拘束バンドを電線保護カバーに固定した状態を示す斜視図である。
【図７】本発明の一実施形態を示し、（ａ）は拘束バンドのバンド部の余長箇所を切断する過程を示す断面図、（ｂ）は拘束バンドのバンド部の余長箇所の切断時を示す要部断面図である。
【図８】本発明の一実施形態を示し、拘束バンドのバンド部の余長箇所を切断し、保護壁が弾性復帰した状態を示す断面図である。
【図９】従来例を示し、電線保護構造の分解斜視図である。
【図１０】従来例を示し、電線保護構造の断面図である。
【図１１】従来例を示し、コネクタの断面図である。
【図１２】従来例を示し、バンド部の余長箇所を切断した状態を示す電線保護構造の斜視図である。
【図１３】従来例を示し、バンド部の切断面が露出された状態を示す要部斜視図である。
【発明を実施するための形態】
【００１４】
以下、本発明の実施形態を図面に基づいて説明する。
【００１５】
図１〜図８は本発明の一実施形態を示す。図１〜図５において、コネクタ１０は、コネクタハウジング１１と、このコネクタハウジング１１内に収容された複数の端子１２とを備えている。コネクタハウジング１１の前面には、相手コネクタ（図示せず）の嵌合口１３が開口されている。各端子１２は、嵌合口１３に臨むようにしてコネクタハウジング１１内に収容されている。各端子１２には電線Ｗの端部がそれぞれ接続されている。コネクタハウジング１１の後面側は、電線保護カバー１のコネクタ組付部３が嵌合可能に形成されている。この嵌合可能に形成された箇所には、係止爪１４が複数箇所に設けられている。複数の電線Ｗは、コネクタハウジング１１の後面側から引き出されている。コネクタハウジング１１より引き出された複数の電線Ｗには、拘束テープ１５が巻き付けられ、束ねられている。説明の便宜上、束ねられた複数の電線Ｗを単に電線Ｗとして以下説明する。
【００１６】
電線保護構造は、コネクタハウジング１１の後面側に組み付けされる電線保護カバー１と、電線Ｗを電線保護カバー１に拘束する拘束バンド２０とを備えている。
【００１７】
電線保護カバー１は、コネクタハウジング１１の後面を被い、且つ、電線配策方向に延びるカバー本体２と、カバー本体２の一端側に設けられたコネクタ組付部３とを有する。
【００１８】
カバー本体２は、大略半筒形状である。カバー本体２の内部には、電線配策方向に沿って開口する電線収容路４が形成されている。カバー本体２には、左右一対の電線仮保持片５が設けられている。
【００１９】
一対の電線仮保持片５は、電線収容路４の開口を狭める方向に突出されている。これにより、電線収容路４の開口部４ａの寸法は、収容される電線Ｗの幅より小さく設定されている。一対の電線仮保持片５は、電線収容路４の内側に入り込む方向に傾斜している。従って、各電線仮保持片５の根本から先端に向かって徐々に電線収容路４の内側に入り込む位置とされ、電線Ｗを電線収容路４の開口部４ａに誘導するようになっている。
【００２０】
一対の電線仮保持片５は、電線収容路４の内側への撓み変形によって電線Ｗの挿入を許容すると共に、電線収容路４に収容された電線Ｗの外側への移動を阻止する。
【００２１】
開口部４ａとは反対側のカバー本体２には、一対のバンド係止部６Ａが突設されている。この一対のバンド係止部６Ａの両外側には、一対のバンド挿通孔７が開口されている。各バンド挿通孔７は、電線収容路４に開口している。
【００２２】
開口部４ａとは反対側のカバー本体２には、下記するインシュロック部２２から引き出され、且つ、切断されたバンド部２１の切断箇所を被う保護壁８が突設されている。保護壁８には、下記するインシュロック部２２から引き出されるバンド部２１の余長箇所２１Ａ（図６、図７（ａ）、（ｂ）、図８に示す）が貫通されるバンド貫通孔９が形成されている。保護壁８は、このバンド貫通孔９の位置がインシュロック部２２側に変位できるように撓み変形可能に形成されている。
【００２３】
コネクタ組付部３には、係止孔６が複数箇所に設けられている。
【００２４】
拘束バンド２０は、帯状のバンド部２１とこのバンド部２１の基端部に固定されたインシュロック部２２とから構成されている。バンド部２１には、長手方向に沿って連続的に係止溝（図示せず）が設けられている。インシュロック部２２は、バンド部２１を通すバンド挿通孔２２ａと、バンド挿通孔２２ａに通されたバンド部２１の係止溝に係止する係止部（図示せず）とを有する。係止部は、バンド部２１のバンド挿通孔２２ａへの進入方向ではロックせず、バンド部２１のバンド挿通孔２２ａからの抜け方向に対してロックする。バンド部２１は、その先端が一方のバンド挿通孔７から電線収容路４に導かれ、電線収容路４内で電線Ｗの外周を巻回した後に他方のバンド挿通孔７より外部に導かれ、その後インシュロック部２２のバンド挿通孔２２ａに通されている。そして、電線Ｗを電線保護カバー１にしっかりと拘束した位置でバンド部２１がインシュロック部２２でロックされている。インシュロック部２２からのバンド部２１の余長箇所２１Ａは、切断されている。
【００２５】
次に、電線保護カバー１と拘束バンド２０の組み付け作業を簡単に説明する。先ず、電線Ｗを一対の電線仮保持片５間の開口部４ａより電線収容路４に挿入する。電線収容路４に電線Ｗが収容されると、一対の電線仮保持片５が復帰変形して元の位置に戻り、電線Ｗが仮係止される。次に、コネクタ組付部３をコネクタハウジング１１の後面側に位置合わせして嵌合する。この嵌合によって複数の係止孔６と係止爪１４がそれぞれ係止される。これで、電線保護カバー１の組み付けが完了する。
【００２６】
次に、電線収容路４内の電線Ｗを拘束バンド２０によって電線保護カバー１に拘束する。具体的には、図６に示すように、バンド部２１の先端側を一方のバンド挿通孔７から電線収容路４に導き、電線収容路４内で電線Ｗの外周を巻回した後に他方のバンド挿通孔７より外部に導き、インシュロック部２２のバンド挿通孔２２ａに通し、インシュロック部２２から引き出されたバンド部２１の余長箇所２１Ａを保護壁８のバンド貫通孔９に通す。そして、電線Ｗを電線保護カバー１にしっかりと拘束した位置でバンド部２１をインシュロック部２２にロックする。
【００２７】
次に、図７（ａ）に示すように、保護壁８に外力Ｆ（図７（ａ）に示す）を作用させ、インシュロック部２２側に撓み変形させ、バンド貫通孔９から引き出されたバンド部２１の余長箇所２１Ａを切断する（図７（ｂ）参照）。その後、保護壁８への外力を解除し、保護壁８を元の状態に戻す。これにより、図８に示すように、バンド部２１の切断面２１ａが保護壁８のバンド貫通孔９より少なくとも突出しない位置に位置する。つまり、バンド部２１の切断面２１ａが保護壁８によって被われる。
【００２８】
従って、バンド部２１の切断面２１ａは、電線保護カバー１の保護壁８によって被われるため、その後の作業者は、バンド部２１の切断面２１ａに接触しないように注意を払う必要がない。以上より、バンド部２１の切断後の作業効率が低下しない。
【００２９】
保護壁８は、インシュロック部２２から引き出されるバンド部２１の余長箇所２１Ａが貫通されるバンド貫通孔９を有し、且つ、バンド貫通孔９の位置がインシュロック部２２側に変位できるように撓み変形可能に形成されている。従って、バンド部２１の余長箇所２１Ａを保護壁８の外側で切断することができるため、切断作業性が良い。又、バンド部２１の余長箇所２１Ａの切断作業の後に保護壁８への外力を解除するだけで、バンド部２１の切断面２１ａが保護壁８に自動的に被われるため、確実にバンド部２１の切断面２１ａを保護壁８に被うことができる。
【符号の説明】
【００３０】
１  電線保護カバー
２  カバー本体
４  電線収容路
８  保護壁
９  バンド貫通孔
１０  コネクタ
２０  拘束バンド
２１  バンド部
２１Ａ  余長箇所
２２  インシュロック部
Ｗ  電線
【図１】
2013251115.tif 000003
【図２】
2013251115.tif 000004
【図３】
2013251115.tif 000005
【図４】
2013251115.tif 000006
【図５】
2013251115.tif 000007
【図６】
2013251115.tif 000008
【図７】
2013251115.tif 000009
【図８】
2013251115.tif 000010
【図９】
2013251115.tif 000011
【図１０】
2013251115.tif 000012
【図１１】
2013251115.tif 000013
【図１２】
2013251115.tif 000014
【図１３】
2013251115.tif 000015